【事件の表示】
　平成　６年特許願第１８２６６７号「電子的撮像装置」拒絶査定不服審判事件〔平成　８年　２月２０日出願公開、特開平　８−　５１５７１〕について、次のとおり審決する。
【結　論】
　本件審判の請求は、成り立たない。
【理　由】
１．経緯
（１）手続
　本願は、平成６年８月３日の出願である。
　本件は、本願についてされた拒絶査定（平成１６年８月４日付け）を不服とする平成１６年９月９日の請求であり、平成１６年１０月１２日付けで手続補正書（明細書及び図面について請求の日から３０日以内にする補正）が提出された。
　
（２）査定
　原査定の理由は、概略、下記のとおりである。
　　　　　記（査定の理由）
　本願各発明（請求項１から請求項７まで及び請求項９から請求項１１まで）は、下記刊行物に記載された各発明及び周知技術に基づいて当業者が容易に発明をすることができたものであるから、特許法第２９条第２項の規定により、特許を受けることができない。
　　　　　記（刊行物）
　刊行物１：特開平５−６４０８５号公報
　刊行物２：特開平４−４０７６３号公報
　刊行物３：特開昭６２−１０７５７９号公報
　刊行物４：特開昭６４−１０７８８号広報（周知技術）
　刊行物５：特開平５−１３０５１８号広報（周知技術）
　
２．補正の却下の決定
　平成１６年１０月１２日付けの補正について次のとおり決定する。
　〈結論〉
　平成１６年１０月１２日付けの補正を却下する。
　〈理由〉
（１）補正の内容
　本件補正は、次のような補正事項を含むものである。
　（ａ）補正事項１
　請求項１において、
　「撮影のための適正な露出条件を決定するとともに、上記露出条件に基づく露光時間の間のみ上記遮光手段を透光状態にして本露光を行い上記撮像素子から読み出された本露光データを上記記憶手段に一旦記憶せしめた後、上記遮光手段を遮光状態に維持した状態で上記本露光の露光時間と同一の露光時間でダーク露光を行い上記撮像素子からダーク露光データを読み出すに際して、
　上記ダーク露光データの一画素の読出しと同時に、上記記憶手段に記憶された本露光データの同一画素のデータを読み出して、該本露光データから上記ダーク露光データを減算する処理を順次全ての画素に対して行う演算制御手段」（補正前）とあるのを、
　「撮影のための適正な露出条件を決定するとともに、上記露出条件に基づく露光時間
だけ
上記撮像素子に蓄積動作させる
させた
時間だけ上記撮像素子に蓄積動作をさせる
上記本露光に対応して１回だけ行い
　上記ダーク露光データの一画素の読出し
開始
の
を開始して、読み出された
　（ｂ）補正事項２
　補正前の請求項２、請求項３、請求項７、請求項９から請求項１１までを削除し、補正前の請求項４から請求項６まで、および請求項８を順次繰り上げ、請求項２から請求項５までとする。
　（ｃ）補正事項３
　補正前の請求項８において、
　「上記演算制御手段は、上記本露光の開始時に上記撮像素子のリセットによりカウントを開始し、本露光の終了後に本露光データの読み出しが開始されるまでの時間をカウントしたカウント値を記憶するカウント値記憶手段を更に有し、
　上記ダーク露光の開始時に上記撮像素子のリセットによりカウントを開始し、カウント値が上記記憶されたカウント値に等しくなったときに上記ダーク露光時のタイミング制御およびルーチン制御を行うものであることを特徴とする請求項７に記載の電子的撮像装置」（補正前の請求項８）とあるのを、
　「
上記演算制御手段は、上記本露光の開始時に上記撮像素子のリセットにより上記撮像素子の蓄積動作を開始するとともにカウントを開始し、本露光の終了時に上記撮像素子の蓄積動作を終了して本露光データの読み出しが開始されるまでの時間をカウントしたカウント値を記憶するカウント値記憶手段を更に有し、
上記ダーク露光の開始時に上記撮像素子のリセットにより上記撮像素子の蓄積動作を開始するとともに上記記憶されたカウント値からのダウンカウントを開始し、ダウンカウントして得られたカウント値が０になったときに上記ダーク露光時における上記撮像素子の蓄積動作を終了するよう制御することを特徴とする請求項１に記載の電子的撮像装置
　
（２）補正の適合性
（２−１）補正の範囲
　（ａ）補正事項１
　（ａ１）本願の願書に最初に添付した明細書及び図面には以下の記載がある。
　　（あ）「次に、図５は露光データの記憶モードについて説明するための図である。
　この露光データの記憶モードは、上記フォーカルプレーンシャッタ２０を開けて通常の撮像を行ったデータを、上記記憶素子５３に記憶させておくモードである。」（段落0080）
　　（い）「すなわち、被写体露光のタイミングにより、スイッチ５０がこの記憶モードに切り替わって、該スイッチ５０からの露光データ出力は、メモリ等の記憶素子５３にそのまま書き込まれるようになっている。」（段落0081）
　　（う）「その後、暗信号減算モードに入る。この暗信号減算モードは、上記フォーカルプレーンシャッタ２０を閉じた状態で撮像素子に暗電流を蓄積し、上記露光データの記憶モードで取り込んだ画像データから減算することにより、暗電流によるノイズを除去するモードである。」（段落0082）
　　（え）「この暗信号減算モードでは、図６に示すように、スイッチ５０を通って１／Ｎ回路５１により１／Ｎに除算された信号出力と、上記図５で説明した露光データの記憶モードで正規の露光データが記憶されている記憶素子５３からの読み出しデータとが、Ｉｄａｒｋ除去減算回路５２に入力される。」（段落0083）
　　（お）「このＩｄａｒｋ除去減算回路５２では、撮像素子の同じ位置の画素に対応するデータどうしを、所定のタイミングで減算する。この減算した結果は、上記記憶素子５３の同一の記憶場所に戻す。」（段落0084）
　　（か）「ここでＩｄａｒｋ除去減算回路５２への入力は上述のように除算されて１／Ｎ（Ｎは自然数）になっているので、減算動作のループをＮ回繰り返すことによって、最終的には露光データに含まれている暗電流成分と同じレベルの量が差し引かれることになり、その結果が上記記憶素子５３に記憶される。」（段落0085）
　　（き）「このような減算が順次のタイミングでサイクリックにＮ回繰り返されて、つまりＤNN転送まで行われることにより、必要な暗電流の除去が行われる。このようにＮ回の減算を行うことにより、ランダムに発生するノイズの影響を軽減することができる。」（段落0117）
　（ａ２）以上によれば、「ダーク露光を本露光に対してＮ回（Ｎは自然数）行う」ことが記載されている。ここで、数学の分野では自然数は「１」を含むとされるが、本願の場合、Ｎが「１」である場合は排除されているというべきである。
　すなわち、記載（か）に「除算されて１／Ｎ（Ｎは自然数）になっている」とあるところ、１を除数とする除算は、数学の分野ではともかく、日常では「除算」と言わないので、これに照らせば、Ｎは「１」を含まない。
　また、記載（き）に「Ｎ回の減算を行なうことにより、ランダムに発生するノイズの影響を軽減することができる」とあるところ、他の記載「これらＮ個のデータの平均値をとり、この平均値を遮光時の画像データとすることにより、遮光時の読み取り信号に含まれるランダム性雑音成分を軽減する」（段落0025）とを考え併せれば、軽減しようとするランダム性ノイズは「Ｎ個のデータの平均値をとる」ことにより求めていることが認められる。一方、平均値は、複数個の値について求めるものであり「１」個の値について求めることはできないので、したがって、ランダム性ノイズは複数回の減算を行って初めて軽減することができ、「１」回の減算では軽減することができないことは明らかである。この点でも、Ｎは「１」を含まない。
　（ａ３）したがって、補正事項１に係る「ダーク露光を本露光に対応して１回だけ行い」との事項は、願書に最初に添付した明細書又は図面に記載した事項ではなく、補正事項１は、願書に最初に添付した明細書及び図面に記載した事項の範囲内においてする補正ではない。
　（ｂ）補正事項２
　補正事項２は、願書に最初に添付した明細書及び図面に記載した事項の範囲内においてする補正である。
　（ｃ）補正事項３
　補正事項３は、願書に最初に添付した明細書及び図面に記載した事項の範囲内においてする補正である。
　（ｄ）まとめ（補正の範囲）
　以上、本件補正は、上記補正事項１（願書に最初に添付した明細書又は図面に記載した事項の範囲内においてする補正ではない補正）を含むから、特許法第１７条の２第３項の規定に適合しない。
　
　上述のとおり、本件補正は願書に最初に添付した明細書又は図面に記載した事項の範囲内においてする補正ではないが、仮に、補正の範囲が適法であるとして、以下、補正の目的および独立特許要件について検討する。
　
（２−２）補正の目的
　（ａ）補正事項１は、補正前に記載のあった「演算制御手段」の動作を限定するものであり、しかも補正の前後において、産業上の利用分野及び解決しようとする課題は同一であるから、特許請求の範囲の減縮に相当する。
　（ｂ）補正事項２は、請求項の削除を目的とする補正である。
　（ｃ）補正事項３は、補正前に記載のあった「演算制御手段」の動作を限定するものでありしかも補正の前後において、産業上の利用分野及び解決しようとする課題は同一であるから、特許請求の範囲の減縮に相当する。
　（ｄ）まとめ（補正の目的）
　以上、本件補正は、請求項の削除、特許請求の範囲の減縮を目的とするものであるから、特許法第１７条の２第４項の規定に適合する。
　
（２−３）独立特許要件
　次に、独立特許要件について検討する。
　（ａ）補正後発明
　補正後の請求項１に係る発明は（補正後発明という）は、下記のとおりである。
　　　　　記（補正後発明）
　撮像素子と、
　この撮像素子への被写体光の透光遮光を制御する遮光手段と、
　上記撮像素子の出力画像データを一時的に記憶する記憶手段と、
　撮影のための適正な露出条件を決定するとともに、上記露出条件に基づく露光時間だけ上記遮光手段を透光状態にして上記撮像素子に蓄積動作させる本露光を行い上記撮像素子から読み出された本露光データを上記記憶手段に一旦記憶させた後、上記遮光手段を遮光状態に維持した状態で上記本露光の露光時間と同一の時間だけ上記撮像素子に蓄積動作をさせるダーク露光を上記本露光に対応して１回だけ行い上記撮像素子からダーク露光データを読み出すに際して、
　上記ダーク露光データの一画素の読出し開始と同時に、上記記憶手段に記憶された本露光データの同一画素のデータの読み出しを開始して、読み出された本露光データから上記ダーク露光データを減算する処理を順次全ての画素に対して行う演算制御手段と、
　を具備することを特徴とする電子的撮像装置。
　
　（ｂ）刊行物の記載
　（ｂ１）前置報告書は、補正後発明は下記刊行物に記載された発明に基づいて当業者が容易に発明をすることができたものである旨、報告をする。
　　　　　記（刊行物）
　１．特開平５−６４０８５号公報
　２．特開平６−１８９２００号公報
　３．特開平４−４０７６３号公報
　（ｂ２）前置報告書で引用された特開平６−１８９２００号公報（報告書刊行物という）には、「固体撮像装置」に関して、以下の記載がある。
　　（ア）「図５において、不図示のシャッターボタンがオンされると、遮光板３１が開かれ、遮光板３１の前段に設けられた不図示の光学系によりＣＣＤ３２の撮像面上に被写体像が結像され、ＣＣＤ３２により光電変換される。これにより得られた撮像信号は、Ａ／Ｄコンバータ３３でＡ／Ｄ変換された後、画像信号としてフレームメモリ３４に蓄えられる。」（段落0031）
　　（イ）「次に、遮光板３１が閉じられ暗状態においてＣＣＤ３２により光電変換が行なわれる。これにより得られる撮像信号は、ＣＣＤ３２の外部からの光を一切遮断して行なわれる光電変換により得られるものであるから、ＣＣＤ３２の固定パターンノイズのノイズ成分データＳN として用いられる。」（段落0032）
　　（ウ）「このようにして得られたノイズ成分データＳN は、Ａ／Ｄコンバータ３３によるＡ／Ｄ変換等の処理は受けずに減算器３６の一端に直接入力される。なお、このノイズ成分データＳN の読み出しは、後述する判断動作により不要と判断されたときには行われない。」（段落0033）
　　（エ）「そして、このノイズ成分データＳN が減算器３６へ入力されるのに同期して、フレームメモリ３４に蓄えられた被写体の画像信号がＤ／Ａコンバータ３５でＤ／Ａ変換されてアナログの画像信号ＳD として減算器３６の他端に入力される。そして、減算器３６でＳ＝ＳD −ＳN なる減算処理が行なわれ、ＣＣＤ３２のノイズ成分が除去された補正信号Ｓが得られる。」（段落0034）
　　（オ）「この補正信号Ｓは、スイッチ３７の端子Ｂに入力される。また、スイッチ３７の端子Ａには未補正の画像信号ＳD が入力され、システムコントローラ４２の判断により、補正信号Ｓあるいは未補正信号ＳD のどちらかが選択される。この判断の方法については後述する。そして、選択された信号は、プロセス回路３８で所定の処理が行なわれた後に記録装置３９に与えられ、記録される。」（段落0035）
　　（カ）「以上の本実施例の説明においては、１回で取り込んだ暗状態における撮像信号そのものをＣＣＤ３２のノイズ成分データＳN として用いる場合について説明したが、」（段落0041）
　　（キ）「また、減算器３６での減算動作をデジタル的に行ってもよいことは、上述した第２の実施例の場合と同様である。」（段落0042）
　
　（ｃ）対比（対応関係）
　補正後発明と報告書刊行物に記載された発明とを対比する。
　（ｃ１）報告書刊行物における「ＣＣＤ３２」は、補正後発明における「撮像素子」に、ＣＣＤ３２への透光遮光を制御する「遮光板３１」は、補正後発明における「遮光手段」に、そしてＣＣＤ３２により得られた撮像信号をＡ／Ｄ変換した後、画像信号として蓄える「フレームメモリ３４」は、記憶された信号を後で出力することから一時的な記憶手段であることは明らかであるので（記載エ、オ）、補正後発明における「記憶手段」にそれぞれ対応する。
　（ｃ２）報告書刊行物には、遮光板３１を開いてＣＣＤ３２に光電変換させて得られた画像信号をフレームメモリ３４に記憶させた後、遮光板３１が閉じられた状態でＣＣＤ３２に光電変換させて得られるノイズ成分データを読み出すに際して、ノイズ成分データは減算器３６の一端に直接入力され、ノイズ成分データの減算器３６への入力に同期して、フレームメモリ３４に記憶された画像信号が減算器３６の他端に入力され、画像信号からノイズ成分データを減算する動作が記載されている。してみると、報告書刊行物における遮光板３１を開いてＣＣＤ３２に光電変換させる動作が補正後発明における「本露光」に、報告書刊行物における「画像信号」が、補正後発明における「本露光データ」にそれぞれ対応する。
　もっとも、報告書刊行物には、補正後発明における「撮影のための適正な露出条件を決定するとともに、上記露出条件に基づく露光時間だけ」露光を行う点については記載されていない点で相違が認められる。
　（ｃ３）報告書刊行物における、遮光板３１が閉じられた状態でＣＣＤ３２に光電変換させる動作は補正後発明における「ダーク露光」に、報告書刊行物における「ノイズ成分データ」は、補正後発明における「ダーク露光データ」にそれぞれ対応する。
　もっとも、報告書刊行物には、補正後発明における「ダーク露光」を行うに際して、撮像素子への蓄積動作を「本露光の露光時間と同一の時間だけ」行わせる点については記載されていない点で相違が認められる。
　また、報告書刊行物における、画像信号からノイズ成分データの減算は１回だけ行われる旨の動作（記載カ）は、補正後発明における「ダーク露光を上記本露光に対応して１回だけ」行う動作と対応する。
　（ｃ４）報告書刊行物における、ノイズ成分データの減算器３６への入力に同期して、フレームメモリ３４に蓄えられた画像信号を読み出して減算器３６への他端に入力させ、画像信号からノイズ成分を除去した補正信号を得ると記載されている（記載エ）。報告書刊行物には同時にノイズ成分データがＣＣＤ３２の固定パターンノイズとして用いられるとの記載（記載ウ）から、ノイズ成分データは画素ごとに異なるデータであることが実質的に記載されていること、ＣＣＤ３２からノイズ成分データを読み出して減算器３６に入力するに際して、メモリを始めとする蓄積手段が介在していないこと（記載ア〜記載キ、第５図）、そして、ＣＣＤからの画像データの読み出しは通常画素単位で順次連続して行われることを総合すると、報告書刊行物にはＣＣＤ３２からの画素単位でのノイズ成分データの読み出しと同期して、フレームメモリ３４から対応する画素データの読み出しを行い、減算器３６に入力して減算する処理を順次全ての画素に対して行うことが実質記載されている。そして画素単位での減算器３６への入力が同期しているのであれば、フレームメモリ３４、あるいは蓄積手段を介さないＣＣＤ３２からの読み出しの開始もまた同期していることは自明である。
　よって、報告書刊行物には、補正後発明における、「ダーク露光の一画素の読み出し開始と同時に、上記記憶手段に記憶された本露光データの同一画素のデータの読み出しを開始して、読み出された本露光データから上記ダーク露光データを減算する処理を順次全ての画素に対して行う」動作に対応する記載が実質的になされている。報告書刊行物には上述の動作を行うことが記載されていることから、補正後発明における「演算制御手段」に対応する構成が実質的に記載されている。
　なお、報告書刊行物に実質的に記載されているとした「演算制御手段」に対応する構成が、補正後発明における「演算制御手段」とは、露出条件及び該露出条件に基づいて露光時間を決定する動作と、ダーク露光における撮像素子への蓄積時間を本露光の露光時間と同一とする動作の点において相違することは、上述したとおりである。
　（ｃ５）報告書刊行物における「固体撮像装置」は、補正後発明における「電子的撮像装置」に対応する。
　
　（ｄ）一致点・相違点
　補正後発明と報告書刊行物に記載された発明との一致点および相違点は、下記のとおりである。
　　　　　記（一致点）
　撮像素子と、
　この撮像素子への被写体光の透光遮光を制御する遮光手段と、
　上記撮像素子の出力画像データを一時的に記憶する記憶手段と、
　上記遮光手段を透光状態にして上記撮像素子に蓄積動作させる本露光を行い上記撮像素子から読み出された本露光データを上記記憶手段に一旦記憶させた後、上記遮光手段を遮光状態に維持した状態で上記撮像素子に蓄積動作をさせるダーク露光を上記本露光に対応して１回だけ行い上記撮像素子からダーク露光データを読み出すに際して、
　上記ダーク露光データの一画素の読出し開始と同時に、上記記憶手段に記憶された本露光データの同一画素のデータの読み出しを開始して、読み出された本露光データから上記ダーク露光データを減算する処理を順次全ての画素に対して行う演算制御手段と、
　を具備する電子的撮像装置。
　　　　　記（相違点）
　〈相違点１〉
　補正後発明は、「撮影のための適正な露出条件を決定するとともに、上記露出条件に基づく露光時間だけ」露光を行うのに対して、報告書刊行物には露出条件と、該露出条件に基づいて露光時間を決定する点について記載されていない点。
　〈相違点２〉
　補正後発明は、ダーク露光において遮光手段を遮光状態に維持した状態で撮像素子に蓄積動作をさせる時間を「本露光の露光時間と同一の時間」とするのに対して、報告書刊行物にはダーク露光において撮像素子に蓄積させる時間について記載されていない点。
　
　（ｅ）相違点の判断等
　〈相違点１について〉
　査定で引用された刊行物４（特開昭６４−１０７８８号公報）には、電子的撮像装置において、露出条件を決定するとともに、上記露出条件に基づく露光時間だけ撮像素子に蓄積動作をさせる技術が記載されている（２頁右下欄10行〜15行）。
　相違点１に係る構成は、報告書刊行物の発明において、遮光板３１を開いて撮像信号を得る（記載ア）に当たり、上記刊行物４に記載の技術を単に採用することにより、当業者が容易になし得ることである。
　〈相違点２について〉
　査定で引用された刊行物２（特開平４−４０７６３号公報）には、電子的撮像装置において、ダーク露光の露光時間を本露光における露光時間と同一の時間とする技術が記載されている（３頁左上欄６行〜左下欄５行、図３）。
　相違点２に係る構成は、報告書刊行物の発明において、遮光板３１を閉じて撮像信号を得る（記載イ）に当たり、上記刊行物２に記載の技術を単に採用することにより、当業者が容易になし得ることである。
　〈効果等〉
　前記のとおり、補正後発明の相違点１および相違点２に係る各構成は当業者が容易になし得ることであるところ、これら相違点を総合しても格別の作用をなすとは認められない。補正後発明の効果も、報告書刊行物、刊行物２および刊行物４の記載から予測することができる程度のものに過ぎない。
　
　（ｆ）まとめ（独立特許要件）
　以上、補正後発明は、報告書刊行物、刊行物２および刊行物４に記載された発明に基づいて当業者が容易に発明をすることができたものであるから、特許法第２９条第２項の規定により、特許出願の際独立して特許を受けることはできない。
　本件補正は、上記補正事項１（補正後の発明が特許出願の際独立して特許を受けることができない補正）を含むから、特許法第１７条の２第５項で準用する同法第１２６条第５項の規定に適合しない。
　
（２−４）小括（補正の適合性）
　以上のとおり、本件補正は、特許法第１７条の２第３項の規定に違反し、また、仮に同規定に適合するとしても、特許法第１７条の２第５項で準用する同法第１２６条第５項の規定に適合しない。
　
（３）むすび（決定）
　以上のとおり、本件補正は、特許法第１７条の２第３項の規定に違反し、また、仮に同規定に適合するとしても、特許法第１７条の２第５項で準用する同法第１２６条第５項の規定に違反するので、特許法第１５９条第１項の規定において読み替えて準用する同法５３条第１項の規定により却下すべきものである。
　
３．本願発明
　平成１６年１０月１２日付けの手続補正は上記のとおり却下する。
　本願の請求項１から請求項１１までに係る発明は、本願明細書及び図面（平成１６年７月１２日付けの手続補正書により補正された明細書及び図面）の記載からみて、それぞれ、その特許請求の範囲の請求項１から請求項１１までに記載した事項により特定されるとおりのものであるところ、そのうち、請求項１に係る発明（本願発明という）は、下記のとおりである。
　　　　　記（本願発明）
　撮像素子と、
　この撮像素子への被写体光の透光遮光を制御する遮光手段と、
　上記撮像素子の出力画像データを一時的に記憶する記憶手段と、
　撮影のための適正な露出条件を決定するとともに、上記露出条件に基づく露光時間の間のみ上記遮光手段を透光状態にして本露光を行い上記撮像素子から読み出された本露光データを上記記憶手段に一旦記憶せしめた後、上記遮光手段を遮光状態に維持した状態で上記本露光の露光時間と同一の露光時間でダーク露光を行い上記撮像素子からダーク露光データを読み出すに際して、
　上記ダーク露光データの一画素の読出しと同時に、上記記憶手段に記憶された本露光データの同一画素のデータを読み出して、該本露光データから上記ダーク露光データを減算する処理を順次全ての画素に対して行う演算制御手段と、
　を具備することを特徴とする電子的撮像装置。
　
４．査定の検討
（１）引用刊行物の記載
　査定の拒絶理由に引用された刊行物１（特開平５−６４０８５号公報）には、「撮像装置」に関し、以下の記載がある。
　　（ア）「固体撮像素子と、記憶手段と、撮像動作を行って前記固体撮像素子からデータを読み出しＡ−Ｄ変換して撮像データを生成する撮像データ生成手段と、前記撮像データを前記記憶手段に記憶させる第１の処理手段と、非露出状態で前記撮像動作と同等の動作を行って前記固体撮像素子からデータを読み出しＡ−Ｄ変換してノイズデータを生成するノイズデータ生成手段と、該ノイズデータ生成手段を複数回駆動して複数のノイズデータを生成し、かつ実質的に、前記記憶手段の撮像データから前記複数のノイズデータの平均データを減じ所要の撮像データを生成する第２の処理手段とを備えたことを特徴とする撮像装置。」（請求項２）
　　（イ）「撮影可能な状態で使用者からレリーズ命令が与えられると、カメラ制御回路１０は測光等の結果によって絞り値，シャッタ時間等を決定し、レンズ１，シャッタ２，固体撮像素子３等を制御し画像を撮影する。固体撮像素子３から読み出されたデータは、Ａ−Ｄコンバータ４によってディジタルデータ（撮像データ）に変換された後、カメラ制御回路１０の指示によりスイッチＳＷ−１がＡ側に切り替えられてメモリ８に記憶される。」（段落0016）
　　（ウ）「その後、シャッタ２が閉じられたまま固体撮像素子３は再度撮影動作を行い、その出力は同様にＡ−Ｄ変換されて、カメラ制御回路１０によって定められたビット数（Ｎ−ビット）だけＮビット・シフト回路５によって下位へシフトされ、符号反転回路６によって符号反転されて、スイッチＳＷ−１のＢ側によってメモリ８の出力に加算される（即ちメモリ８の出力から減算される）。」（段落0017）
　　（エ）「この動作が２のＮ乗回繰り返されてメモリ８には本来の画像データから暗黒のデータ（ノイズ・データ）の２のＮ乗分の１のデータを２のＮ乗回減じたものとなる。」（段落0018）
　　（オ）「カメラ制御回路１０は、処理後のデータを信号処理・記録回路９によって本来の処理回路による処理をしこれを記録する。」（段落0019）
　
（２）対比（対応関係）
　本願発明と刊行物１に記載された発明とを対比する。
　（ａ）刊行物１における「固体撮像素子３」は、本願発明における「撮像素子」に、刊行物１における「シャッタ２」は、本願発明における「遮光手段」に、刊行物１における「メモリ８」は、本願発明における「記憶手段」にそれぞれ対応する。
　（ｂ）記載ア−ウを総合すると、刊行物１には、レリーズ命令が与えられると、測光等の結果によってシャッタ時間を決定し、シャッタ２、固体撮像素子３を制御し画像を撮影し、得られたデータをメモリ８に記憶するとともに、その後、シャッタ２が閉じられたまま固体撮像素子３は再度撮影動作を行う動作が記載されている。レリーズ命令に応じて最初に行われる撮影が、本願発明における「本露光」に対応し、その際に用いられる「シャッタ時間」が本願発明における「露光時間」に、またメモリ８に記憶したデータが、本願発明における「本露光データ」にそれぞれ対応する。
　（ｃ）本願の願書に最初に添付した明細書には、以下の記載がある。
　　「この状態のときに、撮影者により任意のタイミングでレリーズスイッチが押されるとレリーズ信号が入力され（ステップＳ１）、上記測光センサ１６により得られた値を固定し（ステップＳ２）、この値に基づいて測光演算を行う（ステップＳ３）。」（段落0090）
　　「この測光演算により絞り値およびシャッタ速度を決定し（ステップＳ４，ステップＳ５）、これらの値により、絞り値，電子シャッタおよびフォーカルプレーンシャッタ２０の速度を設定して（ステップＳ６）、図９（Ｂ）に示すように、クイックリターンミラー７を跳ね上げて撮影画像の取り込み状態にするとともに、白色拡散板８を光路中に挿入する（ステップＳ７）。なお、図１０のタイミングチャートに示すように、測光演算が終了するまでは、ファインダによる被写体の観察が可能になっている。」（段落0091）
　これら記載を引用すると、本願発明における「撮影のための適正な露出条件を決定するとともに、上記露出条件に基づく露光時間」を決定する動作は、刊行物１における「測光等の結果によって絞り値，シャッタ時間等を決定」する動作（記載イ）に対応する。
　（ｄ）刊行物１には、シャッタ２を閉じたままで行う撮影動作として、露光状態と同様の動作を行い固体撮像素子３からデータを読み出す点が記載されており（記載ア−エ）、このシャッタを閉じたままで行われる撮影動作が本願発明における「ダーク露光」に、シャッタを閉じたままで露光状態と同様の動作を行った際に固体撮像素子から得られたノイズデータが、本願発明における「ダーク露光データ」にそれぞれ対応する。
　もっとも、刊行物１には、ノイズデータを得る際のシャッタを閉じたままで行われる撮影動作を露光状態と同様に行う点は記載されているものの、露光状態と同一の露光時間で行う点については明記されていない点で一応相違が認められる。
　（ｅ）刊行物１には、メモリ８に記憶された撮像データとノイズデータの符号を反転したデータとを加算器７によって加算すること、すなわち、撮像データからノイズデータを減算することが記載されており（記載ウ）、そして固体撮像素子からのデータの読み出しは、通常画素単位で順次連続して行われることを総合すると、刊行物１には、撮像データからノイズデータを減算するに際して、加算器７に順次連続して入力するノイズデータに対応する画素データをメモリ８から読み出して加算器７に入力させることが実質的に記載されている。よって刊行物１には、本願発明における「ダーク露光データの一画素の読出しと同時に、上記記憶手段に記憶された本露光データの同一画素のデータを読み出して、該本露光データから上記ダーク露光データを減算する処理を順次全ての画素に対して行う」動作に対応する記載が実質的になされている。
　そして、刊行物１には上述の動作を行うことが記載されていることから、本願発明における「演算制御手段」に対応する構成が実質的に記載されている。
　なお、刊行物１に実質的に記載されているとした「演算制御手段」に対応する構成が、本願発明における「演算制御手段」とは、ダーク露光における露光時間を本露光の露光時間と同一とする動作の点において相違することは、上述したとおりである。
　（ｆ）刊行物１の「撮像装置」は、本願発明における「電子的撮像装置」に対応する。
　
（３）一致点・相違点
　本願発明と刊行物１に記載された発明との一致点および相違点は、下記のとおりである。
　　　　　記（一致点）
　撮像素子と、
　この撮像素子への被写体光の透光遮光を制御する遮光手段と、
　上記撮像素子の出力画像データを一時的に記憶する記憶手段と、
　撮影のための適正な露出条件を決定するとともに、上記露出条件に基づく露光時間の間のみ上記遮光手段を透光状態にして本露光を行い上記撮像素子から読み出された本露光データを上記記憶手段に一旦記憶せしめた後、上記遮光手段を遮光状態に維持した状態で上記本露光と同様のダーク露光を行い上記撮像素子からダーク露光データを読み出すに際して、
　上記ダーク露光データの一画素の読出しと同時に、上記記憶手段に記憶された本露光データの同一画素のデータを読み出して、該本露光データから上記ダーク露光データを減算する処理を順次全ての画素に対して行う演算制御手段と、
　を具備することを特徴とする電子的撮像装置。
　　　　　記（相違点）
　本願発明は、「本露光の露光時間と同一の露光時間でダーク露光を行」うのに対して、刊行物１には本露光と「同様の」ダーク露光を行う点は記載されているものの、ダーク露光の露光時間を本露光の露光時間と同一とする点については記載されていない点。
　
（４）相違点の判断等
　〈相違点について〉
　査定の拒絶理由に引用された刊行物２には、電子的撮像装置において、ダーク露光の露光時間を本露光における露光時間と同一の時間とする技術が記載されている（３頁左上欄６行〜左下欄５行、図３）。
　上記相違点に係る構成は、刊行物１の発明において、シャッタ２を閉じたまま再度撮影動作を行う（記載ウ）に当たり、上記刊行物２に記載の技術を単に採用することにより、当業者が容易になし得ることである。
　〈効果等〉
　本願発明の効果も、刊行物１および刊行物２の記載から予測することができる程度のものに過ぎない。
　
（５）まとめ（査定の検討）
　以上、本願発明は、刊行物１および刊行物２に記載された発明に基づいて当業者が容易に発明をすることができたものである。
　
５．むすび
　以上、本願の請求項１に係る発明は、刊行物１および刊行物２に記載された発明に基づいて当業者が容易に発明をすることができたものであるから、特許法第２９条第２項の規定により特許を受けることができない。
　よって結論のとおり審決する。